(57)【要約】【課題】光ネットワークにおいて、より少ない構成でバックアップパスを提供する。【解決手段】シェアードメッシュリストレーション方法は、光分岐挿入装置と通信可能に接続されたスイッチを、光分岐挿入装置の複数のノード方路に対して複数のバックアップラインカードを共有可能とするように、設定し、光分岐挿入装置の各ノード方路に係わるネットワーク障害のそれぞれに対して、アクティブバックアップ光パスの数を決定し、光分岐挿入装置のすべてのノード方路のそれぞれに係わる各ネットワーク障害の中で、必要とされるアクティブバックアップ光パスの数が最大となるノード方路に係わるネットワーク障害を特定し、アクティブバックアップ光パスの最大数に基づいて、スイッチに結合されるバックアップラインカードの数を決定する。【選択図】図６
2013223246.tif 000002
【特許請求の範囲】
【請求項１】
光分岐挿入装置と通信可能に接続されたスイッチを、前記光分岐挿入装置の複数のノード方路に対して複数のバックアップラインカードを共有可能とするように、設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
ことを特徴とするシェアードメッシュリストレーション方法。
【請求項２】
前記スイッチを設定する処理において、１または複数の現用ラインカードを共有可能とするように、前記スイッチを設定する
ことを特徴とする請求項１に記載のシェアードメッシュリストレーション方法。
【請求項３】
前記バックアップラインカードの数を決定する処理において、
前記光分岐挿入装置の各ノード方路について、前記各ネットワーク障害に起因して切断される現用光パスの数を決定し、
前記光分岐挿入装置の各ノード方路について、前記アクティブバックアップ光パスの数と、前記各ネットワーク障害に起因して切断される現用光パスの数との差分を計算し、
前記光分岐挿入装置のすべてのノード方路のそれぞれに係わる各ネットワーク障害の中で、前記差分が最大となるノード方路に係わるネットワーク障害を特定し、
前記差分の最大値に基づいて、前記スイッチに結合されるバックアップラインカードの数を決定する、
ことを特徴とする請求項１または２に記載のシェアードメッシュリストレーション方法。
【請求項４】
前記光分岐挿入装置は、ＣＤ−ＲＯＡＤＭ（Colorless Directionless ROADM）である
ことを特徴とする請求項１〜３のいずれか１つに記載のシェアードメッシュリストレーション方法。
【請求項５】
前記光分岐挿入装置は、ＣＤＣ−ＲＯＡＤＭ（Colorless Directionless Contentionless ROADM）である
ことを特徴とする請求項１〜３のいずれか１つに記載のシェアードメッシュリストレーション方法。
【請求項６】
前記スイッチは、ＯＴＮ（Optical Transport Network）スイッチである
ことを特徴とする請求項１〜３のいずれか１つに記載のシェアードメッシュリストレーション方法。
【請求項７】
シェアードメッシュリストレーションのためのネットワークノード装置であって、
複数のノード方路を有する光分岐挿入装置と通信可能に接続されたスイッチと、
前記スイッチに結合される複数のバックアップラインカードと、を有し、
前記ネットワークノード装置は、
前記光分岐挿入装置の複数のノード方路に対して複数のバックアップラインカードを共有可能とするように、前記スイッチを設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
ことを特徴とするネットワークノード装置。
【請求項８】
シェアードメッシュリストレーションのためのプログラムであって、
光分岐挿入装置と通信可能に接続されたスイッチを、前記光分岐挿入装置の複数のノード方路に対して複数のバックアップラインカードを共有可能とするように、設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
処理をコンピュータに実行させるプログラム。
【発明の詳細な説明】
【技術分野】
【０００１】
本発明は、光ネットワークにおけるシェアードメッシュリストレーション（Shared Mesh Restoration）に係わる。
【背景技術】
【０００２】
テレコミュニケーションシステム、ケーブルテレビシステム、データ通信ネットワークは、離れた地点間で大量の情報を高速で伝送するための光ネットワークを使用することがある。光ネットワークにおいては、情報は、例えば、光ファイバを介して光信号の形式で伝送される。光ファイバは、非常に小さい損失で信号を長距離通信することができるガラスの細線である。
【０００３】
以前は、光ネットワークは、各ノードがそれぞれ他の２つのノードに接続されるリングトポロジを採用していた。とことが、近年では、トラヒックの増加により、メッシュトポロジを使用する構成が要求されるようになってきている。メッシュトポロジにおいては、各ノードがそれぞれ互いに接続される。そして、このような構成は、必要に応じてトラヒックが別のルートで伝送されることを可能している。また、再構成または再設定が可能な光分岐挿入装置（ＲＯＡＤＭ：Reconfigurable Optical Add-Drop Multiplexer）を用いて、遠隔スイッチングが可能になっている。
【０００４】
40Gbps、100Gbps等の高速光伝送の発達は、コアネットワーク及びメトロポリタンネットワークにおけるＯＴＮ（Optical Transport Network）スイッチングの必要性を高めている。ＯＴＮスイッチングは、ＷＤＭ（Wavelength Division Multiplexing）レイヤ（レイヤ１）において、広範囲の低速クライアントトラヒックを効率的に40Gbpsまたは100Gbpsの信号形式を満たすように収容することが出来る。
【０００５】
既存のＲＯＡＤＭは、ＷＤＭレイヤにおいて波長チャネルを切り替えるための再構成機能または再設定機能を提供するが、各アド／ドロップポートは、特定のノード方路および特定の波長に固定的に接続される。
【０００６】
近年のＲＯＡＤＭ（例えば、ＣＤＣ−ＲＯＡＤＭ）は、ノード方路とアド／ドロップポートとの間を任意に接続できるように、波長に依存しない（Colorless）、方向に依存しない（Directionless）、衝突しない（Contentionless）機能を有している。そして、このようなＣＤＣ−ＲＯＡＤＭの柔軟性は、将来の光ネットワークにおいて大きな利点を提供し得る。
【発明の概要】
【発明が解決しようとする課題】
【０００７】
ネットワークの信頼性を高めるためには、例えば、現用パスに対してバックアップパスが設定される。ところが、バックアップパスを設定するためには、ノード装置は、バックアップパスのための構成を用意する必要がある。例えば、ノード装置は、現用パスのためのインタフェースに加えて、バックアップパスのためのインタフェースを有する必要がある。
【０００８】
本発明の１つの側面に係わる目的は、光ネットワークにおいて、より少ない構成でバックアップパスを提供することである。
【課題を解決するための手段】
【０００９】
本発明の１つの態様のシェアードメッシュリストレーション方法は、光分岐挿入装置と通信可能に接続されたスイッチを、前記光分岐挿入装置の複数のノード方路に対して複数のバックアップラインカードを共有可能とするように、設定し、前記光分岐挿入装置の各ノード方路に係わるネットワーク障害のそれぞれに対して、アクティブバックアップ光パスの数を決定し、前記光分岐挿入装置のすべてのノード方路のそれぞれに係わる各ネットワーク障害の中で、必要とされるアクティブバックアップ光パスの数が最大となるノード方路に係わるネットワーク障害を特定し、前記特定により得られるアクティブバックアップ光パスの最大数に基づいて、前記スイッチに結合されるバックアップラインカードの数を決定する。
【発明の効果】
【００１０】
上述の態様によれば、より少ない構成でバックアップパスを提供することができる。
【図面の簡単な説明】
【００１１】
【図１】本発明の実施形態に係わるネットワークの一例を示す図である。
【図２】ＲＯＡＤＭを利用するネットワークノードの実施例を示す図である。
【図３】バックアップラインカードを再利用する構成を有するネットワークノードの実施例を示す図である。
【図４】バックアップラインカードおよび現用ラインカードを再利用する構成を有するネットワークノードの実施例を示す図である。
【図５】ラインカードの数について既存技術と本発明の実施形態との比較結果をまとめた表である。
【図６】本発明の実施形態に係るシェアードメッシュリストレーション方法を示すフローチャートである。
【発明を実施するための形態】
【００１２】
図１は、本発明の１つの実施形態の一例に係るネットワーク１０を示す。いくつかの実施例では、ネットワーク１０は、シェアードメッシュ（Shared Mesh）ネットワークである。
【００１３】
ネットワーク１０は、ネットワーク１０の構成要素により通信される１または複数の信号を伝送可能な、１または複数の伝送媒体１２を含む。ネットワーク１０の構成要素は、伝送媒体１２によって互いに接続されており、複数のネットワーク要素またはノード１０２を含む。図１に示すネットワーク１０においては、各ノード１０２は、メッシュを形成するように、他の４個のノード１０２に接続されている。但し、任意の好適な数のノード１０２により任意の好適な構成で、ネットワーク１０２を形成することができる。また、ネットワーク１０は、この実施例ではメッシュネットワークであるが、リングネットワーク、ポイント・ツー・ポイントネットワーク、または他の好適な構成のネットワーク、或いはそれらの組合せであってもよい。ネットワーク１０は、短距離のメトロポリタンネットワーク、長距離の都市間ネットワーク、または他の好適なネットワーク、或いはそれらの組合せであってもよい。ネットワーク１０は、短距離のメトロポリタンネットワーク、長距離の都市間ネットワーク、または他の好適なネットワーク、或いはそれらの組合せの全体であってもよいし、その一部であってもよい。
【００１４】
各伝送媒体１２は、ノード１０２間を互いに通信可能に接続してノード１０２間で情報を通信する任意のシステム、デバイス、装置を含む。例えば、伝送媒体１２は、光ファイバ、Ethernet（登録商標）ケーブル、Ｔ１ケーブル、銅ケーブル、ＷｉＦｉ信号、ブルートゥース信号、または他の好適な媒体で実現される。この実施例では、光ファイバは、小さい損失で信号を長距離通信することができるガラスの細線を含む。光ファイバは、シングルモードファイバ、ＥＬＥＡＦ（Enhanced Large Effective Area Fiber）、ＴＷ−ＲＳ（TrueWave（登録商標）Reduced Slope）ファイバ等の任意の好適なファイバを含む。情報は、１または複数の光波長に情報を載せるために各光波長を変調することにより、ネットワーク１０を介して送信および受信される。なお、光ネットワークにおいては、光波長は、チャネルと呼ばれることがある。各チャネルは、ネットワーク１０を介して所定の情報量を運ぶように設定される。
【００１５】
ネットワーク１０は、伝送媒体１２を介して情報または「トラヒック」を通信することができる。トラヒックは、ネットワーク１０において伝送、格納、またはソートされる情報を含む。このようなトラヒックは、例えば、音声、画像、テキスト、および／または他のデータを符号化した光信号または電気信号である。データは、リアルタイムデータであってもよいし、非リアルタイムデータであってもよい。トラヒックは、特に限定されるものではないが、例えば、ＯＳＩ（Open Systems Interconnection）標準および／またはＩＰ（Internet Protocol）等を含む任意の通信プロトコルで通信される。ネットワーク１０におけるトラヒックの通信は、フレームまたはパケットで行われてもよいし、非構造的なビットストリームで行われてもよい。
【００１６】
ネットワーク１０の各ノード１０２は、トラヒックを送信および受信可能な好適なシステムを有する。この実施例では、各ノード１０２は、１または複数の他のノード１０２に直接的にトラヒックを送信することができ、また、１または複数の他のノード１０２から直接的にトラヒックを受信することができる。ノード１０２は、ノード１０２を動作させるための構成要素を有している。例えば、ノード１０２は、ハードウェアロジック、ソフトウェアロジック、または他のロジック、および／またはそれらの好適な組合せを含むようにしてもよい。ロジックは、例えば、ノードの動作を実現するために命令を実行してデータを処理する任意の好適なプロセッサである。ノード１０２は、入力信号を受信し、出力信号を送信し、入出力を処理し、またはそれらを組み合わせた処理を行うインタフェースを含んでいてもよい。インタフェースは、ポート、変換ソフトウェア、またはそれらの双方を含む。ノード１０２は、メモリ（例えば、情報を格納すると共に情報の復旧を容易にするロジック）を含む。メモリは、例えば、ＲＡＭ、ＲＯＭ、磁気ドライブ、ディスクドライブ、ＣＤドライブ、ＤＶＤドライブ、リムーバブル記録媒体、その他のデータ記録媒体、またはそれらの組合せ、および／または他の好適な構成要素である。
【００１７】
幾つかの実施形態においては、ノード１０２は、特定の波長またはチャネルでネットワーク１０を介して光信号を送信する。ノード装置１０２は、電気信号を光信号に変換してその光信号を送信するシステム、装置、デバイスを含む。例えば、各ノード１０２は、レーザおよび変調器を有し、電気信号を受信し、その電気信号により表される情報を変調してレーザにより生成される特定の波長の光ビームに載せ、信号を運ぶ光ビームをネットワークに送信する。更に、この実施例では、ノード１０２は、複数のクライアントカード、ＯＴＮスイッチ等の複数のスイッチ、複数のラインカード、１または複数のマルチプレクサ、１または複数の増幅器、１または複数の光分岐挿入装置（ＲＯＡＤＭ）、および／または、１または複数の受信器を備える。
【００１８】
ネットワーク１０の情報伝送容量を増やすために、複数のチャネルで伝送される複数の信号を、１つの光信号に重ねてもよい。１つの光信号の複数のチャネルで情報を通信する処理は、光通信においては、ＷＤＭ（Wavelength Division Multiplexing）と呼ばれる。また、ＤＷＤＭは、より多くの（または、より高い密度で）波長を多重化する技術であり、１本の光ファイバに４０波以上が多重化され得る。ＷＤＭ、ＤＷＤＭ、または他の多波長伝送技術は、光ファイバ当たりの総帯域を大きくするために、光ネットワークにおいて使用される。ＷＤＭまたはＤＷＤＭを用いない場合、光ネットワークの帯域は、１波長のビットレートに制限される。帯域が大きくなると、光ネットワークは、より多くの情報量を伝送することができる。ネットワーク１０は、ＷＤＭ、ＤＷＤＭ、または他の多チャネル多重化技術を利用して異なる複数のチャネルを伝送し、および／または多チャネル信号を増幅する。
【００１９】
増幅器は、ネットワーク１０において多チャネル信号を増幅する。増幅器は、ある長さの伝送媒体１２の前および／または後に設けられる。増幅器は、信号を増幅する任意のシステム、装置、デバイスにより実現される。例えば、増幅器は、光信号を増幅する光リピータを備えていてもよい。この増幅は、光電変換または電光変換を伴ってもよい。
【００２０】
ＲＯＡＤＭは、ノード１０２の中に設けられる。ＲＯＡＤＭは、光信号をアド（挿入）およびドロップ（分岐）する任意のシステム、装置、デバイスを含むアド／ドロップバンクを含む。ＲＯＡＤＭにおける「アド（挿入）」および「ドロップ（分岐）」は、ＷＤＭ信号に１または複数の新たな波長チャネルを追加すること、および／または、１または複数の波長チャネルを他のネットワークパスへ導くことにより分岐または除去することを意味する。ＲＯＡＤＭは、波長の設定が遠隔地のネットワーク管理者によって実行されるように、すなわち、ネットワーク管理者が任意の波長の追加、分岐、通過を選択できるように、遠隔地から設定され得る。ＲＯＡＤＭを通過した後、信号は、伝送媒体１２を介して直接的に目的地へ到達するかも知れないし、１または複数の他のＲＯＡＤＭおよび／または他のＯＡＤＭを介して目的地へ到達するかも知れない。ＲＯＡＤＭは、波長ブロック、平面光回路（ＰＬＣ：Planar Lightwave Circuit）、および／または波長選択スイッチ（ＷＳＳ：Wavelength Selective Switch）等の技術を使用する。ＲＯＡＤＭシステムは、ＲＯＡＤＭサブシステムを含むＷＤＭシステムまたはＤＷＤＭシステムを意味することがある。
【００２１】
ネットワーク１０は、波長レベルまたはサブ波長レベルで入力ファイバから出力ファイバへトラヒックをスイッチングすることができる装置を使用するＯＴＮであってもよい。シェアードメッシュネットワークは、バックアップ光パスまたは主光パスとは異なる「パス」を定義することによって、障害から接続を保護することができる光メッシュネットワークである。光パスは、２つの地点間で光信号が通過できる任意のパスを意味する。この実施例では、シェアードメッシュネットワークの波長レベルは、光パスレベルまたはＷＤＭレベルに相当する。サブ波長レベルは、波長レベルよりも細かい粒度のバックアップ光パスを提供する。
【００２２】
シェアードメッシュリストレーション（Shared Mesh Restoration）は、この実施例では、複数の現用パスおよびバックアップパスを共有することで、メッシュネットワークにおいてバックアップ光パスを最小にするシステムまたは方法である。サバイバブルトラヒック統合方式は、現用トラヒックおよびバックアップトラヒックのために割り当てられる容量を最小化するために使用される。シェアードメッシュリストレーションは、たとえば、波長レイヤまたはサブ波長レイヤ等の１つのレイヤを使用してもよいし、各レイヤにより余裕のある柔軟性を統合することによって得られる複数のレイヤ（たとえば、ＷＤＭレイヤの柔軟性を有するＯＴＮレイヤ）を使用してもよい。ＲＯＡＤＭ技術における近年の発展によれば、ノード方路とアド／ドロップポートとの間を任意に接続できるように、波長に依存しない（Colorless）、方向に依存しない（Directionless）、および衝突しない（Contentionless）動作（すなわち、ＣＤＣ）が可能になってきている。このようなＣＤＣ−ＲＯＡＤＭの柔軟性は、将来の光ネットワークにおいて大きな利点を提供し得る。したがって、シェアードメッシュリストレーションは、ＣＤＣ−ＲＯＡＤＭを使用する光レイヤおよび／またはサブレイヤ、またはＯＴＮスイッチを使用するＯＴＮレイヤにおいて実行可能である。光レイヤリストレーションは、非常に粗く（例えば、波長レベル）、長いバックアップパス及びより多くの生成器を必要とする。電子スイッチを使用するＯＴＮレイヤリストレーションは、波長割当ての粒度が細かいので、より良いバックアップ資源の共有化が可能なサブ波長レベルでのリストレーションを提供する。
【００２３】
シェアードメッシュリストレーションは、バックアップパスおよび／またはバックアップ帯域を最小化するために、波長レイヤおよびサブ波長レイヤの双方を使用してもよい。例えば、シェアードメッシュリストレーションにおいて、現用コネクションのルートが設定されると共に、現用コネクションと共通でないバックアップコネクションのルートも設定される。使用可能な帯域がある場合は、バックアップパスは、他の現用コネクションを伝送する光パスを用いてもよい。実施例としては、バックアップ光パスを、バックアップコネクションのみを伝送する光パスと定義し、現用光パスを、少なくとも１つの現用コネクションを伝送する光パスと定義してもよい。
【００２４】
バックアップコネクションに割り当てられた容量または帯域を最小化するために、バックアップパスは、競合集合に基づいて資源を共有する。競合集合は、光パスに関連づけられ、特定のネットワーク障害または特定の光パスの切断に対して、光パスに関連づけられているバックアップパスの集合を記録する。たとえば、集合ＣＳieは、リンク障害ｆiに対して、光パスｅに関連づけられているバックアップパスを含む競合集合を表す（０＜ｉ＜ｎ）。リンク障害または光パスの切断は、任意のノード１０２間の伝送媒体１２の障害を含む。各光パスについての競合集合の生成は、すべてのコネクションの現用パスおよびバックアップパスを出力する。
【００２５】
図２は、本発明の実施形態において、ＲＯＡＤＭ２０２を利用するネットワークノードの実施例を示す。ネットワークノード２００は、ＲＯＡＤＭ２０２およびサブレイヤスイッチ２０４を含む。サブレイヤスイッチ２０４は、ＯＴＮスイッチまたは他の好適なスイッチングデバイスを含むように構成されてもよい。サブレイヤスイッチ２０４は、クライアントカード２０８ａ、２０８ｂ、２０８ｃ（以下、クライアントカード２０８と呼ぶことがある。）、および現用ラインカード（ＬＣ）２０６ａ、２０６ｂ、２０６ｃ（以下、ラインカード２０６と呼ぶことがある。）に対応づけられている。信号は、サブレイヤスイッチ２０４においてクライアントカード２０８からラインカード２０６へ進むことができる。
【００２６】
クライアントカード２０８および現用ラインカード２０６は、サブレイヤスイッチ２０４に接続または結合するポートを有する。クライアントカード２０８の各ポートのサブ波長コネクションは、適切なサイズの低次光データユニット（ＬＯ−ＯＤＵ）にマッピングされ得る。このマッピングは、クライアント信号のレート調整、及び／又はend-to-endのコネクションを保証するためのオーバヘッド情報の付加を含む。複数のＬＯ−ＯＤＵデータストリームを、１つのクライアントカード２０８に対応づけることができる。たとえば、クライアントカード２０８ａが２つのＬＯ−ＯＤＵデータストリームを処理し、クライアントカード２０８ｂ、２０８ｃがそれぞれ１つのＬＯ−ＯＤＵデータストリームを処理してもよい。クライアントカード２０８のポートの信号は、サブレイヤスイッチ２０４によりスイッチングされる。サブレイヤスイッチ２０４は、それらの信号を統合するために現用ラインカード２０６へ転送してもよい。統合（Grooming）は、複数の小さなフローまたは信号をグループ化して、１つのエンティティとして処理される大きなユニットにまとめる処理を意味する。例えば、ある共通するノードを宛先とする２つのフローは、同じ波長に割り当てられる。
【００２７】
シェアードメッシュリストレーション方式は、各光パスが目的点に対応づけられて特定の現用ラインカード２０６に固定的に割り当てられることを前提としてもよい。この場合は、ノードに対応する現用ラインカード２０６の総数は、そのノードが終端する光パスの総数と同じになる。例えば、図２（ａ）において、各現用ラインカード２０６ａ、２０６ｂ、２０６ｃには、それぞれ１つの光パスが割り当てられている。各光パス、並びにクライアントカード２０８および現用ラインカード２０６の各ポートは、「方向」および「色（波長）」を含んでいる。一例としては、各ポートは、それぞれ対応する波長の光信号を送信または受信する。
【００２８】
実施例としては、ＲＯＡＤＭ２０２は、アド／ドロップバンク２１４のポートを、ノード方路すなわちファイバ２１０に導くことができる。アド／ドロップバンク２１４は、ＷＤＭ信号に１または複数の新たな波長チャネルを追加すること、および／または、ＷＤＭ信号中の１または複数の波長チャネルを他のネットワークパスへ導くことにより分岐または除去することができる。アド／ドロップバンク２１４は、さらにマルチプレクサ、デマルチプレクサ、異なる波長の信号を１つのＷＤＭ信号またはＤＷＤＭ信号にまとめるための任意のシステム、装置、デバイス、および／または、１つのＷＤＭ信号またはＤＷＤＭ信号を波長チャネルごとに分離する任意のシステム、装置、デバイスを含むようにしてもよい。
【００２９】
例えば、図２（ａ）に示す構成は、３本の光ファイバ２１０ａ、２１０ｂ、２１０ｃを有する。なお、図２（ａ）では、３本の光ファイバ２１０が描かれているが、実施形態のノードは、より多くの、またはより少ない数の光ファイバ２１０を有する構成であってもよい。光ファイバ２１０を、「方路（degree）」と呼ぶことがある。この場合、光ファイバ２１０ａを方路１（Ｄ１）と呼び、光ファイバ２１０ｂを方路２（Ｄ２）と呼び、光ファイバ２１０ｃを方路３（Ｄ３）と呼ぶことができる。図２（ａ）に示す実施例の構成は、３つの固定ノード方路（即ち、光ファイバ２１０ａ〜２１０ｃ）にそれぞれ結合されている現用ラインカード２０６（２０６ａ〜２０６ｃ）へ送信される、４個のＬＯ−ＯＤＵデータストリームを有している。
【００３０】
図２（ｂ）に示すように、方路Ｄ１（光ファイバ２１０ａまたは方路Ｄ１と方路Ｄ１を介して送信されるトラヒックの宛先との間の他のリンク）に対応する物理リンク（例えば、光ファイバリンク）に障害が発生したときは、バックアップトラヒックは、サブレイヤスイッチ２０４における電子的なスイッチングにより、方路Ｄ２および方路Ｄ３に対応するポートへ導かれる。あるノード方路に係わるリンクの障害または光パスの切断は、光ファイバ２１０の切断、損傷、或いは光ファイバ２１０による伝送路上の損失を引き起こす任意の要因（例えば、光パス上の装置の故障）に起因する。この場合、サブレイヤスイッチ２０４は、方路Ｄ１を使用する光パスが動作できないと判定する。そして、サブレイヤスイッチ２０４は、クライアントカード２０８ｂ、２０８ｃの信号をバックアップラインカード２１２ａ、２１２ｂへ導く。バックアップラインカード２１２ａは、クライアントカード２０８ｂから来る信号を方路Ｄ３へ導くようにしてもよい。また、バックアップラインカード２１２ｂは、クライアントカード２０８ｃから来る信号を方路Ｄ２へ導くようにしてもよい。
【００３１】
図２（ｃ）に示すように、方路Ｄ３に係わるリンクの障害または光パスの切断が起るかも知れない。方路Ｄ３に係わる物理リンクに障害が発生したときは、サブレイヤスイッチ２０４により、２つのバックアップコネクションが方路Ｄ１に対応する２つのポートに切り替えられる。この結果、方路Ｄ１に対して追加的に２つのバックアップラインカード２１２ｃ、２１２ｄが使用される。サブレイヤスイッチ２０４は、方路Ｄ３を使用する光パスが動作できないと判定する。そして、サブレイヤスイッチ２０４は、クライアントカード２０８ａの信号をバックアップラインカード２１２ｃ、２１２ｄへ導く。バックアップラインカード２１２ｃ、２１２ｄは、２つのバックアップパスを生成して、クライアントカード２０８ａから来る信号を方路Ｄ１へ導くようにしてもよい。そうすると、このノードのバックアップラインカード２１２の総数は、４であり、この数は、バックアップ光パスの総数と同じである。
【００３２】
図２に示すシェアードメッシュリストレーション方式において得られる競合集合は、現用ラインカード２０６およびバックアップラインカード２１２を割り当てるために計算される。ＲＯＡＤＭ２０２において必要なバックアップラインカード２１２の総数は、たとえば、下式で最大バックアップ光パスを計算することにより決定される。Ｄｊ(ｆｉ)は、障害ｆｉを復旧するために、固定的に割り当てられる、ノード方路ｊで終端するバックアップラインカード２１２の数を表す。
【００３３】
【数１】
2013223246.tif 000003
【００３４】
図３は、本発明の実施形態において、バックアップラインカード２１２を再利用するＣＤＣ−ＲＯＡＤＭ３１０を利用するネットワークノードの実施例を示す。ネットワークノード３００は、ＣＤＣ−ＲＯＡＤＭ３１０およびサブレイヤスイッチ２０４を含む。サブレイヤスイッチ２０４は、ＯＴＮスイッチまたは他の好適なスイッチングデバイスを含むように構成されてもよい。サブレイヤスイッチ２０４には、この例では、クライアントカード２０８ａ、２０８ｂ、２０８ｃ、および現用ラインカード２０６ａ、２０６ｂ、２０６ｃが結合されている。信号は、サブレイヤスイッチ２０４においてクライアントカード２０８からラインカード２０６へ伝送される。
【００３５】
図２を参照しながら説明したように、クライアントカード２０８および現用ラインカード２０６は、サブレイヤスイッチ２０４に接続または結合するポートを有する。複数のＬＯ−ＯＤＵデータストリームを、１つのクライアントカード２０８に対応づけることができる。例えば、クライアントカード２０８ａが２つのＬＯ−ＯＤＵデータストリームを処理し、クライアントカード２０８ｂ、２０８ｃがそれぞれ１つのＬＯ−ＯＤＵデータストリームを処理してもよい。
【００３６】
この実施形態では、ＣＤＣ−ＲＯＡＤＭ３１０を使用することにより、複数のバックアップラインカード２１２を共有することができる。ＣＤＣ−ＲＯＡＤＭ３１０は、色（すなわち、波長）および方向（すなわち、方路）を意識することなく、信号を処理できる。したがって、ＣＤＣ−ＲＯＡＤＭ３１０は、各現用ラインカードをそれぞれ任意のノード方路に結合させることができる。なお、Colorless機能およびDirectionless機能を有していないＲＯＡＤＭを使用するノードにおいては、各ラインカードは、それぞれ固定的に、予め決められた１つの方路に対応づけられている。
【００３７】
ＣＤＣ−ＲＯＡＤＭ３１０を使用するノードにおいて、たとえば、図３（ｂ）に示すように、方路Ｄ１（光ファイバ２１０ａまたは方路Ｄ１と方路Ｄ１を介して送信されるトラヒックの宛先との間の他のリンク）に対応する物理リンクに障害が発生すると、図２（ｂ）に示すケースと同様に、２つのバックアップラインカード２１２ａ、２１２ｂが必要になる。ところが、方路Ｄ３に対応する物理リンクに障害が発生したときは、図３（ｃ）に示すように、２つのバックアップラインカード２１２ａ、２１２ｂは、再利用することが可能であり、２つのバックアップコネクションのために方路Ｄ１へ導かれる。すなわち、方路Ｄ１に対応する物理リンクの障害のためのバックアップラインカード、および方路Ｄ３に対応する物理リンクの障害のためのバックアップラインカードを共有できる。したがって、この例で必要となるバックアップラインカード２１２の総数は、２である。
【００３８】
障害ｆｉの発生時にバックアップ光パスｅが少なくとも１つのバックアップコネクションを伝送しているときは、バックアップ光パスｅは、障害ｆｉに対してアクティブ化される。このケースは、競合集合が空でない状態に相当し、例えば、下記のように表される。
【００３９】
【数２】
2013223246.tif 000004
【００４０】
なお、障害ｆｉの発生時にアクティブ化されない光パスは、いずれのラインカードも必要としない。このケースは、競合集合が空である状態に相当し、例えば、下記のように表される。
【００４１】
【数３】
2013223246.tif 000005
【００４２】
したがって、非アクティブ光パスに対応するラインカードは、同じＣＤＣ−ＲＯＡＤＭ３１０により処理される他の光パスによって再利用され得る。なお、「再利用」は、あるパスによって使用されるラインカードが、他のパスによっても利用され得る構成または状態を意味することがある。
【００４３】
この方式は、現用ラインカード２０６およびバックアップラインカード２１２を、光パスの障害または切断によって影響を受けるバックアップ光パスに柔軟に割り当てることを可能にする。これにより、割り当てられる現用ラインカード２０６およびバックアップラインカード２１２の総数を削減することができる。以下、このことについて詳しく説明する。
【００４４】
以下の説明では、Ｂｊ(ｆｉ)が、ノード方路ｊで終端されている、リンク障害ｆｉを復旧するために使用されるアクティブバックアップ光パスの数を表すとき（ここで、競合集合ＣＳieは、空ではない）、必要なバックアップラインカード２１２の数は、任意の障害に対する全てのノード方路に対応づけられているアクティブバックアップ光パスの最大数であり、下式で表される。
【００４５】
【数４】
2013223246.tif 000006
【００４６】
図４は、本発明の実施形態において、バックアップラインカード２１２および現用ラインカード２０６を再利用するＣＤＣ−ＲＯＡＤＭ３１０を利用するネットワークノード４００の実施例を示す。ネットワークノード４００は、図３に示す実施例と類似の構成に有することに加えて、現用ラインカードをバックアップラインカード２０６として再利用できる。例えば、方路Ｄ１に対応する物理リンクに障害が発生したときは、図４（ｂ）に示すように、現用ラインカード２０６ｂ、２０６ｃは、方路Ｄ２および方路Ｄ３へ導かれるコネクションのために再利用される。方路Ｄ３に対応する物理リンクに障害が発生したときは、図４（ｃ）に示すように、現用ラインカード２０６ａが方路Ｄ１へ導かれるコネクションのために再利用されているので、バックアップラインカード２１２ａのみが使用される。
【００４７】
実施例として、Ｗｊ(ｆｉ)は、ノード方路ｊで終端されている、リンク障害ｆｉを復旧するために使用される現用光パスの数を表すものとする。ここで、この方路の現用トラヒックは、障害ｆｉに起因して切断されているものとする。Ｂｊ(ｆｉ)は、ノード方路ｊで終端されている、リンク障害ｆｉを復旧するために使用されるアクティブバックアップ光パスの数を表すものとする。この場合、任意の障害に対する全てのノード方路に対応づけられている再利用可能な現用ラインカード２０６に加えて必要となるバックアップラインカード２１２の数は、下式で表される。
【００４８】
【数５】
2013223246.tif 000007
【００４９】
この式は、ＯＴＮ／ＷＤＭネットワークにおけるシェアードメッシュリストレーションのために必要なバックアップラインカード２１２の数を決定するために使用される。尚、先の記載は、統合されたノードについての例を示しているが、本発明に係る復旧方式は、互いに分離されたＯＴＮシステムおよびＲＯＡＤＭシステムにも適用可能である。また、先の記載は、ＣＤＣ−ＲＯＡＤＭを使用することを示しているが、本発明に係る方法およびシステムは、波長および方向を意識しないＲＯＡＤＭ（Colorless Directionless ＲＯＡＤＭ（ＣＤ−ＲＯＡＤＭ））にも適用可能である。さらに、先の記載は、本発明に係る方法およびシステムがＯＴＮに適用されることを示しているが、本発明に係る方法およびシステムは、ＣＤＣ−ＲＯＡＤＭを利用するＩＰ／ＷＤＭネットワークにも適用可能である。
【００５０】
図５は、本発明の実施形態におけるシェアードメッシュリストレーションに係るシミュレーションの結果をまとめた表５００を示す。なお、このシミュレーションは、２４個のノードおよび４３本の双方向リンクを有するネットワークを前提としている。また、各ファイバリンクは８８波長伝送をサポートし、各波長により約100Gbps伝送が行われるものとする。約1.25Gbps、約2.5Gbps、または約10GbpsのＬＯ−ＯＵＤデマンドのトラヒックマトリックスが生成されるものとする。トラヒックは、メトロポリタンネットワークトラヒックパターン（例えば、約１０個の選択されたコアノードのなかで約４０パーセントのトラヒックが生成され、他のトラヒックは、コアノードと他のノードとの間で生成される）で、各ノードに送られるものとする。
【００５１】
この実施例のシミュレーションでは、シェアードメッシュリストレーションは、トラヒックグルーミング、ルーティング、波長割当てのためにauxiliary graph approachを用いて実装される。現用コネクションは、現用トラヒックのために要求されるラインカードの数を最小にするように、ルーティングされる。この場合、大部分の現用光パスは、ほぼ満杯に満たされる。このことにより、同じ光パスに現用トラヒックおよびバックアップトラヒックが混在しにくくなり、より多くのバックアップラインカードを再利用することが可能になる。また、シミュレーションでは、各コネクションのバックアップパスは、対応する現用パスによって使用されている光パスを除去した後にルーティングされ、資源の共有が最大化される。シミュレーションは、ネットワーク内で、現用トラヒックおよびバックアップトラヒックの阻止を含まない。
【００５２】
図５では、上述のシミュレーションに対応する結果に基づいて、図２〜図４に示す構成について、必要なラインカードの数の比が比較されている。行５０４、５０６は、それぞれトラヒック量が行５０２に示すケースの２倍、３倍である場合の結果を示している。列５０８は、各トラヒックマトリックスについて、現用トラヒックに割り当てられるラインカードの数が「１」に正規化された状態を示している。列５１０は、図２に示す既存のＲＯＡＤＭに搭載されるＯＴＮスイッチについての結果を示す。例えば、24Tbpsのトラヒックに対しては、正規化された場合、現用トラヒックおよびバックアップトラヒックのために必要なラインカードの総数は、１．５５である。列５１２、５１４に示すように、ＣＤＣ−ＲＯＡＤＭ（例えば、図３に示す構成）が提供する柔軟性によれば、正規化されたラインカードの総数は約１．４６に減少し、既存のＲＯＡＤＭと比較して約５．８パーセントの資源の節約が可能になる。列５１６、５１８は、バックアップラインカードに加えて現用ラインカードも再利用されるケース（例えば、図４に示す構成）についての結果を示している。この構成によれば、例えば、正規化されたラインカードの数は約１．２６に減少し、既存のＲＯＡＤＭと比較して約１８パーセントの資源の節約が可能になる。他の現実的なネットワークトポロジに対するシミュレーションにおいても、ラインカードの削減が見込まれる。
【００５３】
図６は、本発明の実施形態に係る、光ネットワークにおけるシェアードメッシュリストレーション方法６００を示すフローチャートである。方法６００は、例えば、図３に示すネットワークノード３００または図４に示すネットワークノード４００において、その全体または一部が実行される。方法６００のステップは、ハードウェア、ソフトウェア、ファームウェア、またはそれらの組合せにより実行され、シェアードメッシュリストレーションを実現する。ソフトウェアまたはファームウェアは、例えば、コンピュータ読み取り可能記録媒体に格納され、実行されたときに下記の１または複数のステップを実現する命令を含む。コンピュータ読み取り可能記録媒体は、プログラムまたは命令を格納または検索するシステムまたは装置であり、例えば、ハードディスクドライブ、コンパクトディスク、フラッシュメモリ、または他の任意の好適なデバイスである。ソフトウェアまたはファームウェアは、プロセッサまたは他の好適な装置に、コンピュータ読み取り可能記録媒体から命令を読み出させて実行させる。例えば、方法６００は、図１、図３、図４にそれぞれ示すネットワーク１０、３００、４００について記載されているが、方法６００は、任意の好適なネットワークにも適用可能である。
【００５４】
方法６００は、図１に示す各ノード１０２において繰り返し実行されるようにしてもよいし、また、複数のノード１０２により並列に実行されてもよい。尚、図６においては、方法６００として、ある順番でステップが記載されているが、それらのステップは、矛盾のない範囲で任意の順番で実行することができる。
【００５５】
ステップ６０５において、ネットワークノードは、バックアップカードを共有するように、スイッチを設定する。例えば、図３に示すネットワークノード３００は、バックアップラインカード２１２が複数のノード方路により共有されるように、サブレイヤスイッチ２０４を設定する。共有化は、ＣＤＣ−ＲＯＡＤＭ３１０を使用することにより実現される。この後、方法６００の処理は、ステップ６１０へ進む。
【００５６】
ステップ６１０において、ネットワークノードは、各ネットワーク障害ｆｉについて、ノード方路ｊで終端するアクティブバックアップ光パスの数Ｂｊ(ｆｉ)を決定する。一例として、図３および図４を参照する場合、ネットワークノード３００、４００は、ノード方路Ｄ１に係わる光パスの切断に起因する障害については、必要なアクティブバックアップ光パスは「２」であると判定する。この後、方法６００の処理は、ステップ６１５へ進む。
【００５７】
ステップ６１５において、ネットワークノードは、バックアップラインカードに加えて現用ラインカードを共有するようにスイッチを設定するか、決定する。現用ラインカードを共有するようにスイッチを設定するときは、方法６００の処理は、ステップ６３５に進む。一方、現用ラインカードを共有するようにスイッチを設定しないときは、方法６００の処理は、ステップ６２０に進む。
【００５８】
ステップ６２０において、ネットワークノードは、全てのノード方路ｊおよび全ての潜在的な障害ｆｉに対して、必要とされるアクティブバックアップ光パスの数Ｂｊ(ｆｉ)の最大数を特定する。例えば、図３に示すネットワークノード３００は、ノード方路Ｄ１、Ｄ２、Ｄ３に係わる光パスの切断に関連する各障害ｆｉに対して、必要とされるアクティブバックアップ光パスの最大数を決定する。この後、方法６００の処理は、ステップ６２５へ進む。
【００５９】
ステップ６２５において、ネットワークノードは、ステップ６２０で決定したアクティブバックアップ光パスの最大数に基づいて、必要とされるバックアップラインカードの数を決定する。例えば、図３に示すネットワークノード３００は、アクティブバックアップ光パスの最大数が２であると判定する。この場合、必要とされるバックアップラインカードの数は２である。この後、方法６００の処理は、ステップ６３０へ進む。
【００６０】
ステップ６３０において、ネットワークノードは、スイッチ上にまたはスイッチに結合するように、必要とされる数のバックアップラインカードを設定する。例えば、図３に示すネットワークノード３００は、サブレイヤスイッチ２０４に２個のバックアップラインカードを設定する。この後、方法６００の処理は、ステップ６０５に戻る。
【００６１】
現用ラインカードを共有するようにスイッチを設定するときは（ステップ６１５：ＹＥＳ）、方法６００の処理はステップ６３５に進む。ステップ６３５において、ネットワークノードは、ネットワーク障害ｆｉに起因して切断される現用トラヒックを処理している現用ラインカードを共有するようにスイッチを設定する。例えば、図４に示すネットワークノード４００は、ネットワーク障害ｆｉに起因して切断されるトラヒックを運んでいる現用光パスに対応する現用ラインカード２０６を共有するようにサブレイヤスイッチ２０４を設定する。この後、方法６００の処理は、ステップ６４０へ進む。
【００６２】
ステップ６４０において、ネットワークノードは、ネットワーク障害ｆｉに起因して現用トラヒックが切断されるノード方路ｊで終端している現用光パスの数Ｗｊ(ｆｉ)を決定する。例えば、図４に示すネットワークノード４００は、２本の現用光パスが、方路Ｄ３に係わるネットワーク障害により切断されると判定する。この後、方法６００の処理は、ステップ６４５へ進む。
【００６３】
ステップ６４５において、ネットワークノードは、各ネットワーク障害ｆｉについて、終端しているアクティブバックアップ光パスの数Ｂｊ(ｆｉ)と、各ノード方路ｊにおいて切断される現用光パスの数Ｗｊ(ｆｉ)との差を計算する。例えば、ネットワークノード４００は、図４に示すように、各ネットワーク障害ｆｉにより影響を受ける、各ノード方路Ｄ１、Ｄ２、Ｄ３に対して、Ｂｊ(ｆｉ)−Ｗｊ(ｆｉ)を計算する。例えば、ノード方路Ｄ３については、Ｂｊ(ｆｉ)＝２、Ｗｊ(ｆｉ)＝１なので、その差分として「１」が算出される。この後、方法６００の処理は、ステップ６５０へ進む。
【００６４】
ステップ６５０において、ネットワークノードは、全ノード方路ｊについて計算した差分の最大値を特定する。そして、ステップ６５５において、ネットワークノードは、上記最大差分値に基づいてバックアップラインカードの数を決定する。例えば、図４に示すネットワークノード４００は、最大差分値＝１を得たときは、バックアップラインカードの数を１とする。この後、方法６００の処理は、ステップ６３０へ進む。
【００６５】
なお、上述の実施例は、単なる例示であって、本発明を限定するものではない。また、上述の実施例についての変形、置換え等についても、本発明の範囲に含まれる。
【００６６】
以上記載した各実施例を含む実施形態に関し、さらに以下の付記を開示する。
（付記１）
光分岐挿入装置と通信可能に接続されたスイッチを、前記光分岐挿入装置の複数のノード方路に対して複数のバックアップラインカードを共有可能とするように、設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
ことを特徴とするシェアードメッシュリストレーション方法。
（付記２）
前記スイッチを設定する処理において、１または複数の現用ラインカードを共有可能とするように、前記スイッチを設定する
ことを特徴とする付記１に記載のシェアードメッシュリストレーション方法。
（付記３）
前記バックアップラインカードの数を決定する処理において、
前記光分岐挿入装置の各ノード方路について、前記各ネットワーク障害に起因して切断される現用光パスの数を決定し、
前記光分岐挿入装置の各ノード方路について、前記アクティブバックアップ光パスの数と、前記各ネットワーク障害に起因して切断される現用光パスの数との差分を計算し、
前記光分岐挿入装置のすべてのノード方路のそれぞれに係わる各ネットワーク障害の中で、前記差分が最大となるノード方路に係わるネットワーク障害を特定し、
前記差分の最大値に基づいて、前記スイッチに結合されるバックアップラインカードの数を決定する、
ことを特徴とする付記１または２に記載のシェアードメッシュリストレーション方法。
（付記４）
前記光分岐挿入装置は、ＣＤ−ＲＯＡＤＭ（Colorless Directionless ROADM）である
ことを特徴とする付記１〜３のいずれか１つに記載のシェアードメッシュリストレーション方法。
（付記５）
前記光分岐挿入装置は、ＣＤＣ−ＲＯＡＤＭ（Colorless Directionless Contentionless ROADM）である
ことを特徴とする付記１〜３のいずれか１つに記載のシェアードメッシュリストレーション方法。
（付記６）
前記スイッチは、ＯＴＮ（Optical Transport Network）スイッチである
ことを特徴とする付記１〜３のいずれか１つに記載のシェアードメッシュリストレーション方法。
（付記７）
シェアードメッシュリストレーションのためのネットワークノード装置であって、
複数のノード方路を有する光分岐挿入装置と通信可能に接続されたスイッチと、
前記スイッチに結合される複数のバックアップラインカードと、を有し、
前記ネットワークノード装置は、
前記光分岐挿入装置の複数のノード方路に対して複数のバックアップラインカードを共有可能とするように、前記スイッチを設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
ことを特徴とするネットワークノード装置。
（付記８）
前記ネットワークノード装置は、１または複数の現用ラインカードを共有可能とするように、前記スイッチを設定する
ことを特徴とする付記７に記載のネットワークノード装置。
（付記９）
前記ネットワークノード装置は、
前記光分岐挿入装置の各ノード方路について、前記各ネットワーク障害に起因して切断される現用光パスの数を決定し、
前記光分岐挿入装置の各ノード方路について、前記アクティブバックアップ光パスの数と、前記各ネットワーク障害に起因して切断される現用光パスの数との差分を計算し、
前記光分岐挿入装置のすべてのノード方路のそれぞれに係わる各ネットワーク障害の中で、前記差分が最大となるノード方路に係わるネットワーク障害を特定し、
前記差分の最大値に基づいて、前記スイッチに結合されるバックアップラインカードの数を決定する、
ことを特徴とする付記７または８に記載のネットワークノード装置。
（付記１０）
前記光分岐挿入装置は、ＣＤ−ＲＯＡＤＭ（Colorless Directionless ROADM）である
ことを特徴とする付記７〜９のいずれか１つに記載のネットワークノード装置。
（付記１１）
前記光分岐挿入装置は、ＣＤＣ−ＲＯＡＤＭ（Colorless Directionless Contentionless ROADM）である
ことを特徴とする付記７〜９のいずれか１つに記載のネットワークノード装置。
（付記１２）
前記スイッチは、ＯＴＮ（Optical Transport Network）スイッチである
ことを特徴とする付記７〜９のいずれか１つに記載のネットワークノード装置。
（付記１３）
シェアードメッシュリストレーションのためのプログラムであって、
光分岐挿入装置と通信可能に接続されたスイッチを、前記光分岐挿入装置の複数のノード方路に対して複数のバックアップラインカードを共有可能とするように、設定し、
前記光分岐挿入装置の各ノード方路に係わるネットワーク障害のそれぞれに対して、アクティブバックアップ光パスの数を決定し、
前記光分岐挿入装置のすべてのノード方路のそれぞれに係わる各ネットワーク障害の中で、必要とされるアクティブバックアップ光パスの数が最大となるノード方路に係わるネットワーク障害を特定し、
前記特定により得られるアクティブバックアップ光パスの最大数に基づいて、前記スイッチに結合されるバックアップラインカードの数を決定する、
処理をコンピュータに実行させるプログラム。
（付記１４）
前記スイッチを設定する処理において、１または複数の現用ラインカードを共有可能とするように、前記スイッチを設定する
ことを特徴とする付記１３に記載のプログラム。
（付記１５）
前記バックアップラインカードの数を決定する処理において、
前記光分岐挿入装置の各ノード方路について、前記各ネットワーク障害に起因して切断される現用光パスの数を決定し、
前記光分岐挿入装置の各ノード方路について、前記アクティブバックアップ光パスの数と、前記各ネットワーク障害に起因して切断される現用光パスの数との差分を計算し、
前記光分岐挿入装置のすべてのノード方路のそれぞれに係わる各ネットワーク障害の中で、前記差分が最大となるノード方路に係わるネットワーク障害を特定し、
前記差分の最大値に基づいて、前記スイッチに結合されるバックアップラインカードの数を決定する、
ことを特徴とする付記１３または１４に記載のプログラム。
（付記１６）
前記光分岐挿入装置は、ＣＤ−ＲＯＡＤＭ（Colorless Directionless ROADM）である
ことを特徴とする付記１３〜１５のいずれか１つに記載のプログラム。
（付記１７）
前記光分岐挿入装置は、ＣＤＣ−ＲＯＡＤＭ（Colorless Directionless Contentionless ROADM）である
ことを特徴とする付記１３〜１５のいずれか１つに記載のプログラム。
（付記１８）
前記スイッチは、ＯＴＮ（Optical Transport Network）スイッチである
ことを特徴とする付記１３〜１５のいずれか１つに記載のプログラム。
【図１】
2013223246.tif 000008
【図２】
2013223246.tif 000009
【図３】
2013223246.tif 000010
【図４】
2013223246.tif 000011
【図５】
2013223246.tif 000012
【図６】
2013223246.tif 000013